【手続補正書】
【提出日】平成25年10月16日(2013.10.16)
【手続補正１】
【補正対象書類名】明細書
【補正対象項目名】０１３６
【補正方法】変更
【補正の内容】
【０１３６】
多数の特許及び特許出願が本明細書で参照されているが、これらの各々はその全体が参照により組み込まれているものとする。
本発明はまた、以下の内容を包含する。
（１）
第一光学部材と、第二光学部材と、前記第一光学部材と前記第二光学部材との間に配置される帯電防止層と、を備える光学デバイスであって、ここで、前記帯電防止層は、アニオンを有する少なくとも一種の重合性オニウム塩と少なくとも一種の非オニウム重合性モノマー、オリゴマー又はポリマーとを含む混合物の反応生成物を含む、光学デバイス。
（２）
前記オニウム塩が第四級アンモニウム塩である、項目１に記載の光学デバイス。
（３）
前記アニオンが有機フッ素アニオンである、項目１に記載の光学デバイス。
（４）
前記有機フッ素アニオンがイミドである、項目３に記載の光学デバイス。
（５）
前記有機フッ素アニオンがメチドである、項目３に記載の光学デバイス。
（６）
前記オニウム塩が、アンモニウム塩、スルホニウム塩、ホスホニウム塩、ピリジニウム塩及びイミダゾリウム塩からなる群から選択される、項目１に記載の光学デバイス。
（７）
前記オニウム塩が式：
（Ｒ１）ａ−ｂＧ＋［（ＣＨ２）ｑＤＲ２］ｂＸ−
を有し、式中、
各Ｒ１は、独立して、アルキル、脂環式、アリール、アルカリ環式、アルカリール、脂環式アルキル、アラリサイクリック又は脂環式アリール部分を含み、ここで、このような部分は、例えば、窒素、酸素又はイオウなどのヘテロ原子を１個以上含んでもよく、あるいは、リン又はハロゲンを含んでもよく；Ｒ１は環式又は芳香族であってもよく、環内にＧ＋を含んでもよく、
Ｇは窒素、イオウ又はリンであり、
Ｇがイオウである場合にはａは３であり、Ｇが窒素又はリンである場合にはａは４であり、
Ｇがイオウである場合にはｂは１〜３の整数であり、Ｇが窒素又はリンである場合にはｂは１〜４の整数であり、
ｑは１〜４の整数であり、
Ｄは、酸素、イオウ又はＮＲであり、ここで、ＲはＨ又は炭素原子数１〜４個の低級アルキルであり、
Ｒ２は（メタ）アクリルであり、
Ｘ−はアニオンである、項目１に記載の光学デバイス。
（８）
前記重合性モノマー、オリゴマー又はポリマーが、独立して、エチレンオキシ部分を有するモノ−（メタ）アクリレートモノマー、及びポリウレタンマルチアクリレートからなる群から選択される、項目１に記載の光学デバイス。
（９）
前記アクリレート又はメタクリレートがアルコキシル化されている、項目８に記載の光学デバイス。
（１０）
前記アクリレート又はメタクリレートがエトキシル化されている、項目８に記載の光学デバイス。
（１１）
前記少なくとも一種の非オニウム重合性モノマー、オリゴマー又はポリマーが少なくとも二種の重合性化合物の混合物を含む、項目１に記載の光学デバイス。
（１２）
前記少なくとも一種の非オニウム重合性モノマー、オリゴマー又はポリマーがアクリレート又はメタクリレートを含む、項目１に記載の光学デバイス。
（１３）
前記少なくとも一種の非オニウム重合性モノマー、オリゴマー又はポリマーが単官能性の重合性モノマー又はオリゴマーを含む、項目１に記載の光学デバイス。
（１４）
前記少なくとも一種の非オニウム重合性モノマー、オリゴマー又はポリマーが二官能性又は多官能性の、重合性モノマー又はオリゴマーを含む、項目１に記載の光学デバイス。
（１５）
前記少なくとも一種の非オニウム重合性モノマー、オリゴマー又はポリマーが、単官能性の重合性モノマー又はオリゴマーと、二官能性又は多官能性の、重合性モノマー又はオリゴマーと、を含む、項目１に記載の光学デバイス。
（１６）
前記少なくとも一種の非オニウム重合性モノマー、オリゴマー又はポリマーが脂肪族ウレタンジアクリレート及びエトキシル化フェノキシエチルアクリレートを含む、項目１に記載の光学デバイス。
（１７）
前記少なくとも一種の重合性オニウム塩が前記混合物の２〜５０重量％を構成する、項目１〜１６のいずれか一項に記載の光学デバイス。
（１８）
前記混合物が光開始剤を更に含む、項目１〜１７のいずれか一項に記載の光学デバイス。
（１９）
前記帯電防止層のガラス転移温度が４０℃未満である、項目１〜１８のいずれか一項に記載の光学デバイス。
（２０）
前記帯電防止層が前記第一光学部材及び前記第二光学部材のうちの少なくとも一方に固定される、項目１〜１９のいずれか一項に記載の光学デバイス。
（２１）
前記帯電防止層が前記第一光学部材及び前記第二光学部材の両方に固定される、項目１〜２０のいずれか一項に記載の光学デバイス。
（２２）
前記帯電防止層が、介在層を介して前記第一光学部材及び前記第二光学部材のうちの少なくとも一方に固定される、項目１〜２１のいずれか一項に記載の光学デバイス。
（２３）
前記帯電防止層が、介在層を介して前記第一光学部材及び介在層を介して前記第二光学部材の両方に固定される、項目２２に記載の光学デバイス。
（２４）
前記帯電防止層が前記第一光学部材又は前記第二光学部材のいずれかに固定され、介在層を介してもう一方の光学部材にも固定される、項目１に記載の光学デバイス。
（２５）
１０秒未満の電荷減衰時間を呈する、項目１〜２４のいずれか一項に記載の光学デバイス。
（２６）
５秒未満の電荷減衰時間を呈する、項目１〜２５のいずれか一項に記載の光学デバイス。
（２７）
２秒未満の電荷減衰時間を呈する、項目１〜２６のいずれか一項に記載の光学デバイス。
（２８）
前記第一光学部材及び前記第二光学部材が、独立して、光学ベースフィルム、多層光学フィルム、拡散反射偏光フィルム、プリズム状輝度上昇フィルム、プリズム状光学構造の配列、レンズ状光学構造の配列及びビーズ利得拡散フィルムからなる群から選択される、項目１〜２７のいずれか一項に記載の光学デバイス。
（２９）
前記第一光学部材が光学ベースフィルムを備え、前記第二光学部材がプリズム状輝度上昇フィルムを備える、項目１〜２８のいずれか一項に記載の光学デバイス。
（３０）
１．６を超える光学利得を有する、項目２９に記載の光学デバイス。
（３１）
前記第一光学部材が光学ベースフィルムを備え、前記第二光学部材がプリズム状光学構造の配列を備える、項目２８に記載の光学デバイス。
（３２）
前記第一光学部材が多層光学フィルムを備え、前記第二光学部材がプリズム状輝度上昇フィルムを備える、項目２８に記載の光学デバイス。
（３３）
前記多層光学フィルムが偏光子である、項目２８に記載の光学デバイス。
（３４）
前記第一光学部材が多層光学フィルムを備え、前記第二光学部材がプリズム状光学構造の配列を備える、項目２８に記載の光学デバイス。
（３５）
２．０を超える光学利得を有する、項目３４に記載の光学デバイス。
（３６）
前記帯電防止層が片面又は両面に表面模様を有することができる、項目１〜３５のいずれか一項に記載の光学デバイス。
（３７）
前記帯電防止層が０．２５マイクロメートル超の厚さである、項目１〜３６のいずれか一項に記載の光学デバイス。
（３８）
前記帯電防止層が０．５マイクロメートル超の厚さである、項目１〜３７のいずれか一項に記載の光学デバイス。
（３９）
前記帯電防止層が１マイクロメートル超の厚さである、項目１〜３８のいずれか一項に記載の光学デバイス。
（４０）
前記電荷減衰時間が、前記第二光学部材を欠くがそれ以外の全ての点で同一である光学デバイスについての電荷減衰時間よりも短い、項目１〜３９のいずれか一項に記載の光学デバイス。
（４１）
前記電荷減衰時間が、前記帯電防止層を欠くがそれ以外の全ての点で同一である光学デバイスについての電荷減衰時間よりも短い、項目１〜４０のいずれか一項に記載の光学デバイス。
【手続補正２】
【補正対象書類名】特許請求の範囲
【補正対象項目名】全文
【補正方法】変更
【補正の内容】
【特許請求の範囲】
【請求項１】
第一光学部材と、第二光学部材と、前記第一光学部材と前記第二光学部材との間に配置される帯電防止層と、を備える光学デバイスであって、ここで、前記帯電防止層は、アニオンを有し且つアンモニウム塩、スルホニウム塩、ホスホニウム塩、ピリジニウム塩及びイミダゾリウム塩からなる群から選択される少なくとも一種の重合性オニウム塩と少なくとも一種の非オニウム重合性モノマー、オリゴマー又はポリマーとを含む混合物の反応生成物を含む、光学デバイス。
【請求項２】
前記オニウム塩が式：
（Ｒ１）ａ−ｂＧ＋［（ＣＨ２）ｑＤＲ２］ｂＸ−
を有し、式中、
各Ｒ１は、独立して、アルキル、脂環式、アリール、アルカリ環式、アルカリール、脂環式アルキル、アラリサイクリック又は脂環式アリール部分を含み、ここで、このような部分は、例えば、窒素、酸素又はイオウなどのヘテロ原子を１個以上含んでもよく、あるいは、リン又はハロゲンを含んでもよく；Ｒ１は環式又は芳香族であってもよく、環内にＧ＋を含んでもよく、
Ｇは窒素、イオウ又はリンであり、
Ｇがイオウである場合にはａは３であり、Ｇが窒素又はリンである場合にはａは４であり、
Ｇがイオウである場合にはｂは１〜３の整数であり、Ｇが窒素又はリンである場合にはｂは１〜４の整数であり、
ｑは１〜４の整数であり、
Ｄは、酸素、イオウ又はＮＲであり、ここで、ＲはＨ又は炭素原子数１〜４個の低級アルキルであり、
Ｒ２は（メタ）アクリルであり、
Ｘ−はアニオンである、請求項１に記載の光学デバイス。
【請求項３】
前記帯電防止層のガラス転移温度が４０℃未満である、請求項１または２に記載の光学デバイス。
【請求項４】
１０秒未満の電荷減衰時間を呈する、請求項１〜３のいずれか一項に記載の光学デバイス。